(57)【特許請求の範囲】
【請求項１】
裏面側に、表面側から裏面側に行くに従って相互に漸近するように傾斜した対向する一対の係合面が設けられていると共に、該一対の係合面の間に後方に突出した突起部が設けられた化粧材を、下地面に取り付けるために使用される化粧材取付具であって、
弾性を有する材料からなり、且つ上記下地面に固定される基板部と、各々、該基板部から立ち上がる一対の支持部と該各支持部の先端から相互に遠ざかるよう折り返されて基板部側斜め外方に延びる一対の脚部と該各脚部の先端部に形成された係合部とによりに構成された一対の係止固定部とを備え、
上記各係止固定部は、上記化粧材を上記下地面に取り付けるとき、該係止固定部が該化粧材に押圧されて内方に弾性的に変位した後、該係止固定部が弾性復帰する際に、上記係合部が対応する上記係合面に係合当接して該係合面を基板部側方向外向きに押圧するように形成され、
上記基板部には、上記化粧材を上記下地面に取り付けるとき、上記係止部が上記係合面に係合当接するまでの間、上記化粧材を位置決めすると共に仮止めするように上記突起部を狭持し、該係止部が該係合面に係合当接した後には、該突起部を狭持固定する狭持部が突設されていることを特徴とする化粧材取付具。
【請求項２】
上記係合部は、摩擦係数を高める加工が施されていることを特徴とする請求項１に記載の化粧材取付具。
【発明の詳細な説明】
【０００１】
【発明の属する技術分野】
本発明は、化粧材取付具に関する。
【０００２】
【従来の技術】
建築物の外壁、破風等の美観を向上させるために化粧材が取り付けられることがある。近年、かかる化粧材の取付は、ビスや釘で直接化粧材を被取付部に打ち付けて取り付ける工法から、被取付部である下地面に化粧材取付具を装着してその化粧材取付具を介して化粧材を取り付ける工法に移行してきている。
【０００３】
かかる化粧材取付具として、特開平８−２７０２００号公報には、化粧材取付具に化粧材裏面を押圧する板バネを設けることについて開示されており、これによって化粧材の前後方向におけるガタツキを防止することができると記載されている。
【０００４】
また、特開平１０−３０６５７２号公報には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【０００５】
【発明が解決しようとする課題】
本出願の課題は、単一の構成によって、化粧材の前後方向におけるガタツキ及び化粧材取付具からの外れの防止の両方を同時に達成することができる化粧材取付具を提供することにある。
【０００６】
【課題を解決するための手段】
本出願の発明は、
裏面側に、表面側から裏面側に行くに従って相互に漸近するように傾斜した対向する一対の係合面が設けられていると共に、該一対の係合面の間に後方に突出した突起部が設けられた化粧材を、下地面に取り付けるために使用される化粧材取付具であって、
弾性を有する材料からなり、且つ上記下地面に固定される基板部と、各々、該基板部から立ち上がる一対の支持部と該各支持部の先端から相互に遠ざかるよう折り返されて基板部側斜め外方に延びる一対の脚部と該各脚部の先端部に形成された係合部とによりに構成された一対の係止固定部とを備え、
上記各係止固定部は、上記化粧材を上記下地面に取り付けるとき、該係止固定部が該化粧材に押圧されて内方に弾性的に変位した後、該係止固定部が弾性復帰する際に、上記係合部が対応する上記係合面に係合当接して該係合面を基板部側方向外向きに押圧するように形成され、
上記基板部には、上記化粧材を上記下地面に取り付けるとき、上記係止部が上記係合面に係合当接するまでの間、上記化粧材を位置決めすると共に仮止めするように上記突起部を狭持し、該係止部が該係合面に係合当接した後には、該突起部を狭持固定する狭持部が突設されていることを特徴とする。
【０００７】
上記の構成によれば、化粧材の裏面側に設けられたテーパ状に形成された各係合面に化粧材取付具の各係止固定部の係合部が係合当接し、その係合面を基板部側方向外向きに押圧することとなるので、この基板部側方向に作用する力によって化粧材の前後方向におけるガタツキが防止され、外向きに作用する力によって化粧材取付具からの外れが防止されることとなる。すなわち、係止固定部及び係合面という単一の組合せ構成によって、化粧材の前後方向におけるガタツキ及び化粧材取付具からの外れの両方が同時に防止されることとなる。
【０００８】
また、係止固定部が弾性変形可能に形成され且つ係合面がテーパ状に形成されているので、係合部の位置に設計に対する若干の誤差が生じた場合でも、係合部がテーパ状の係合面のいずれかの位置に係合当接し、その誤差が吸収されることとなる。
【０００９】
さらに、基板部に、化粧材の裏面側に設けられた突起部を挟持固定する挟持部を突設する構成であるので、化粧材の取付固定がより強固なものとなる。加えて、化粧材の取付の際、係止固定部が係合面に係合当接するまでの間、突起部が挟持部に挟持され、化粧材の位置決めがなされると共に、化粧材取付具に仮止めされることとなり、化粧材取付の作業性が良好なものとなる。
【００１０】
ここで、係合部は、のこぎり歯形状に形成する等の摩擦係数を高める加工が施された構成であってもよい。これによって、係合面との係合当接をより確実なものとすることができる。また、同様の目的で、係合面は、粗面に形成する等の摩擦係数を高める加工が施された構成であってもよい。
【００１１】
また、化粧材裏面及び基板部の当接部に、接着剤又は粘着シートを介在させるようにしてもよい。かかる構成によれば、化粧材の化粧材取付具への固定が一層強固なものとなり、特に、化粧材の長手方向へのずれが防止されることとなる。
【００１２】
そして、本発明の対象となる化粧材としては、平板状の外装又は内装化粧材、破風板等の他、断面Ｌ字状の出隅材、入隅材等であってもよく、特に限定されるものではない。
【００１３】
【発明の効果】
以上説明したように、本出願の発明によれば、化粧材の裏面側に設けられたテーパ状に形成された各係合面に化粧材取付具の各係止固定部の係合部が係合当接し、その係合面を基板部側方向外向きに押圧することとなるので、この基板部側方向に作用する力によって化粧材の前後方向におけるガタツキが防止され、外向きに作用する力によって化粧材取付具からの外れが防止されることとなる。すなわち、係止固定部及び係合面という単一の組合せ構成によって、化粧材の前後方向におけるガタツキ及び化粧材取付具からの外れの両方を同時に防止することができる。
【００１４】
また、係止固定部が弾性変形可能に形成され且つ係合面がテーパ状に形成されているので、係合部の位置に設計に対する若干の誤差が生じた場合でも、係合部がテーパ状の係合面のいずれかの位置に係合当接し、その誤差を吸収することができる。
【００１５】
さらに、基板部に、化粧材の裏面側に設けられた突起部を挟持固定する挟持部を突設する構成であるので、化粧材の取付固定がより強固なものとなる。加えて、化粧材の取付の際、係止固定部が係合面に係合当接するまでの間、突起部が挟持部に挟持され、化粧材の位置決めがなされると共に、化粧材取付具に仮止めされることとなり、化粧材取付の作業性が良好なものとなる。
【００１６】
【発明の実施の形態】
以下、本発明の実施形態を図面に基づいて詳細に説明する。
（実施形態１）
図１は、本発明の実施形態１に係る外装化粧材取付具１０を示す。この外装化粧材取付具１０は、厚さ０．３〜０．５ｍｍの金属製（バネ鋼ＳＵＰ３、ステンレス等）の平板を加工したものであり、長方形の基板部１１と、基板部１１のほぼ四隅の外装化粧材取付側にそれぞれ立設された係止固定部１２，１２，…と、基板部１１の長手方向中央を挟んで対向するように立設された案内部１３及び一対の押圧部１４，１４と、基板部１１の幅方向に並んだ２つの係止固定部１２，１２の間に設けられた固定具挿通孔１５，１５とを備えている。
【００１７】
各係止固定部１２は、基板部１１から縦長の長方形に切り出された舌片により形成されており、外方に若干屈曲して断面「く」の字状に形成された支持部１２ａと、支持部１２ａの先端部から折り返されて基板部１１側斜め外方に延びる脚部１２ｂと、脚部の先端部に形成された係合部１２ｃとからなる。従って、基板部１１の幅方向に並ぶ一対の係止固定部１２の脚部１２ｂは同じ向きに延び、基板部１１の長手方向に並ぶ一対の係止固定部１２，１２の脚部１２ｂは相互に反対向きに延びるように構成されており、この基板部１１の長手方向に並んで対をなす係止固定部１２，１２により外装化粧材が係止固定されることとなる。なお、本実施形態では、このように基板部１１の長手方向に並んで対をなす係止固定部１２，１２が２対あるが、これが１対であっても又は３対若しくはそれ以上であってもよい。
【００１８】
案内部１３は、基板部１１から横長の長方形に切り出された舌辺により形成されており、先端部が外方に若干屈曲されており、外装化粧材に設けられた突起部の嵌め入れが容易となるようになっている。
【００１９】
各押圧部１４もまた、基板部１１から縦長の長方形に切り出された舌片により形成されており、案内部１３側に若干屈曲し、さらに逆方向に屈曲して先端部が断面「く」の字状に形成されており、案内部１３側に突出した屈曲部が外装化粧材に設けられた突起部に係合すると共に押圧するようになっている。すなわち、案内部１３及び押圧部１４，１４は、外装化粧材に設けられた突起部を挟持固定する挟持部を構成するようになっている。
【００２０】
図２は、外装化粧材取付具１０を下地壁３０に装着し、その外装化粧材取付具１０に外装化粧材２０が取り付けられた外装化粧材取付構造を示す。
【００２１】
この外装化粧材２０は、水硬化性材料が長尺に押出成形され、図２における右側が上、左側が下となるようにして下地壁３０に取り付けられるものであり、板状の本体部２１と、本体部２１の表面側に断面略三角形状に形成して突設された表面意匠部２２とを備えている。そして、本体部２１の裏面側には、外装化粧材２０の長手方向に延びる上側凹溝２３（図２における右側）及び下側凹溝２４（図２における左側）が形成されており、上側及び下側凹溝２３，２４によって挟まれるように長手方向に延びる突条の突起部２５が形成されている。この突起部２５の突起部下面２５ａ（図２における左側）は、本体部２１に対して垂直に形成されており、突起部上面２５ｂ（図２における右側）は表面側から裏面側に行くに従って上方（図２における右）に向かって傾斜した傾斜面に形成されている。また、上側凹溝２３の上側の側面及び下側凹溝２４の下側の側面には、それぞれ表面側から裏面側に行くに従って相互に漸近するように傾斜したテーパ状の係合面２６が形成されている。
【００２２】
そして、外装化粧材取付具１０を、固定具挿通孔１５，１５に釘７０，７０等を通し、下地壁３０に打ち付けて装着し、それに外装化粧材２０を被せるようにして取り付ける。このとき、突起部下面２５ａを案内部１３に沿わせるようにして外装化粧材２０を下地壁３０側に導いて押し込むと、突起部２５が案内部１３と押圧部１４，１４とにより挟持され、外装化粧材２０が外装化粧材取付具１０に仮止めされた状態となる。また、各係止固定部１２が外装化粧材２０に押圧されて内方に弾性変位することとなる。そして、外装化粧材２０をさらに下地壁３０側に押し込むと、基板部１１が外装化粧材２０の裏面を当接支持すると共に各係止固定部１２が弾性復帰し、各係合部１２ｃは対応する係合面２６に係合当接して係合面２６を基板部側方向外向きに押圧することとなる。それに加えて、押圧部１４，１４は傾斜面に形成された突起部上面２５ｂに係合して案内部１３との間で突起部２５を挟持固定することとなる。なお、外装化粧材２０裏面及び基板部１１の当接部に接着剤又は粘着シートを介在させ、外装化粧材２０の外装化粧材取付具１０への固定状態を更に強固なものとなるようにしてもよい。
【００２３】
上記の構成によれば、外装化粧材２０の裏面側に設けられたテーパ状に形成された各係合面２６に外装化粧材取付具１０の各係止固定部１２の係合部１２ｃが係合当接し、その係合面２６を基板部側方向外向きに押圧することとなるので、この基板部側方向に作用する力によって外装化粧材２０の前後方向におけるガタツキが防止され、外向きに作用する力によって外装化粧材取付具１０からの外れが防止されることとなる。すなわち、係止固定部１２及び係合面２６という単一の組合せ構成によって、外装化粧材２０の前後方向におけるガタツキ及び外装化粧材取付具１０からの外れの両方が同時に防止されることとなる。
【００２４】
また、係止固定部１２が弾性変形可能に形成され且つ係合面２６がテーパ状に形成されているので、係合部１２ｃの位置に設計に対する若干の誤差が生じた場合でも、係合部１２ｃがテーパ状の係合面２６のいずれかの位置に係合当接し、その誤差が吸収されることとなる。
【００２５】
さらに、案内部１３と押圧部１４，１４とで外装化粧材２０の裏面側に設けられた突起部２５を挟持する挟持部を構成しているので、外装化粧材２０の取付固定がより強固なものとなるのに加えて、外装化粧材２０の取付の際、係止固定部１２が係合面２６に係合当接するまでの間、突起部２５が挟持部によって挟持され、外装化粧材２０の位置決めがなされると共に、外装化粧材取付具１０に仮止めされることとなり、外装化粧材取付の作業性が良好なものとなる。
（実施形態２）
図３は、本発明の実施形態２に係る破風板取付具４０を示す。図４は、破風板５０が破風板取付具４０によって下地６０に取り付けられた本発明の実施形態２に係る破風板取付構造を示す。
【００２６】
破風板取付具４０は、係止固定部４２の係合部４２ｂ端部がのこぎり歯状に形成されている。
【００２７】
また、破風板５０は、表面が平面状に形成されている。そして、本体部５１の裏面側には、破風板５０の長手方向に延びる第１凹溝５７ａ、第２凹溝５７ｂ、第３凹溝５７ｃ及び第４凹溝５７ｄが上方（図４における右から左）から順に形成されており、第２及び第３凹溝５７ｂ、５７ｃによって挟まれるように長手方向に延びる突条の突起部５５が形成されている。この突起部５５の突起部下面５５ａ（図４における左側）は、本体部５１に対して垂直に形成されており、突起部上面５５ｂ（図４における右側）は表面側から裏面側に行くに従って上方（図４における右）に向かって傾斜した傾斜面に形成されている。また、第１凹溝５７ａの上側の側面及び第４凹溝５７ｄの下側の側面には、それぞれ表面側から裏面側に行くに従って相互に漸近するように傾斜したテーパ状の係合面５６が形成されている。そして、その係合面５６は研磨されて粗面に形成されている。その他の構成は、実施形態１に係る外装化粧材取付具１０及び外装化粧材２０と同一である。
【００２８】
上記の構成によれば、係止固定部４２及び係合面５６のいずれも摩擦係数を高める加工がなされているので、係止固定部４２の係合部４２ｂ端部の係合面５６への係合がより確実なものとなり、破風板５０の破風板取付具４０への取付状態が極めて強固なものとなる。
【００２９】
その他の作用・効果は実施形態１と同一である。
【図面の簡単な説明】
【図１】  本発明の実施形態１に係る外装化粧板取付具の斜視図である。
【図２】  本発明の実施形態１に係る外装化粧材取付構造の側面図である。
【図３】  本発明の実施形態２に係る破風板取付具の斜視図である。
【図４】  本発明の実施形態２に係る破風板取付構造の側面図である。
【符号の説明】
１０            外装化粧材取付具
１１，４１      基板部
１２，４２      係止固定部
１２ａ，４２ａ  支持部
１２ｂ，４２ｂ  脚部
１２ｃ，４２ｃ  係合部
１３，４３      案内部
１４，４４      押圧部
１５，４５      固定具挿通孔
２０            外装化粧材
２１，５１      本体部
２２            表面意匠部
２３            上側凹溝
２４            下側凹溝
２５，５５      突起部
２５ａ，５５ａ  突起部下面
２５ｂ，５５ｂ  突起部上面
２６，５６      係合面
３０            下地壁
４０            破風板取付具
５０            破風板
５７ａ          第１凹溝
５７ｂ          第２凹溝
５７ｃ          第３凹溝
５７ｄ          第４凹溝
６０            下地
７０            釘
【図１】
0004435382.tif 000002
【図２】
0004435382.tif 000003
【図３】
0004435382.tif 000004
【図４】
0004435382.tif 000005